(57)【特許請求の範囲】
【請求項１】
幾人かの移動使用者にその者の位置に依存して情報を提供するためのナビゲーション情報システムであって、
幾人かの移動使用者にその者の位置に依存して情報を提供するための移動通信システムである固定部を備え、
該固定部は：
案内情報を要求している移動部の位置を判断するための位置判断手段と、
該移動部の位置に従って該移動部の使用者の案内のためのデータを生成するための案内データ生成手段と、
該移動部に向けて生成された案内データを送るための通信システムと、
該移動部から特定の宛先に向けた要求を受取るための受け手段とを備えており、ここで該案内データ生成手段はさらに該特定の宛先に従って別の案内データを生成して、それにより該移動部の現在の位置と特定の宛先との両方に依存した案内データが該移動部に向けて送られるようにでき、さらに、
該移動部に向けて予期される範囲の位置と時刻の情報を送るための手段と、
該予期される範囲外の位置と時刻の測定値を該移動部から受取るための手段とを備え、
該固定部は、該固定部と通信するためのいくつかの移動部と組合されていて、各移動部は該固定部に向けて該移動部の使用者によって特定された宛先に関する案内データについての要求を送るための手段と、該固定部からの案内データを受取るための手段とを含んでおり、
少くとも１つの移動部は位置と時刻とを測定するための手段と、該システムの固定部から受取った該予期される範囲の位置と時刻の情報と該測定された位置と時刻の情報とを比較するための手段と、移動部によって測定された位置と時刻が該予期される範囲の位置と時刻の外である場合に、該移動部から該システムの固定部へメッセージを送信する手段とを備えていることを特徴とするナビゲーション情報システム。
【請求項２】
前記固定部は、複数のオーバーレイ領域で成る地理的オーバーレイに関して移動部の位置を判断するための手段と、該移動部の位置を含むオーバーレイ領域と関係する情報を送るための手段とを含み、それによってそのオーバーレイ領域内部の移動部がそのオーバーレイ領域と関係する情報を受けるようにした請求項１記載のナビゲーション情報システム。
【請求項３】
前記移動部は該固定部から通信リンク上で送られた案内データに含まれている命令によって制御可能な案内命令手段を含み、それによって、案内命令が該案内命令手段によって使用者に向けて通信できる請求項１記載のナビゲーション情報システム。
【請求項４】
前記固定部は、案内データを記憶するための手段と、記憶された案内データを更新するための手段と、更新されたデータが適応できる移動部を識別するため手段と、識別された移動部に対して通信システムを介してデータを送るための手段とを含む請求項１ないし３のいずれか１項に記載のナビゲーション情報システム。
【請求項５】
ナビゲーション情報システム用の移動部であって、
該移動部の現在位置を識別するための位置測定手段と、
通信リンク上で該移動部の現在位置に関する情報を送るための送信手段と、
該通信リンクで受取った案内命令情報により制御可能な案内命令手段であって、現在位置に関する案内命令が該案内命令手段により使用者に向けて通信できるようにする手段と、
特定された宛先に関する案内についての要求を生成し、また該現在の位置と該特定された宛先とに従った案内命令情報を受取るための通信手段とを備えており、時刻測定手段と、
該時刻測定手段と該位置測定手段とから位置と時刻の情報を得るための手段と、該得られた位置と時刻の情報を該システムの固定部から受取った予期される範囲の位置と時刻と比較するための比較手段と、
該得られた位置と時刻が該予期される範囲の位置と時刻の外である場合に、該得られた位置と時刻の情報を該固定部に向けて自動的に報告するための警報手段と、を備えたことを特徴とする移動部。
【請求項６】
移動無線システムの移動部に向けてナビゲーション案内データを提供する方法であって、このデータは該移動部の位置に依存しているものであり、
該方法は：
移動部から固定部に向けてナビゲーション案内についての要求を送る段階と、
該移動部の位置を判断する段階と、
該位置情報と、該固定部に記憶されているナビゲーションとに基づいて案内データを生成する段階と、
該固定部から該移動部に向けて該案内データを送る段階とを備えており、
該ナビゲーションデータについての要求は特定された宛先を含んでおり、また生成された案内データは該位置情報と該要求された宛先とに従って選ばれるものであり、
これによって該移動部の現在の位置と特定された宛先とに関する案内データが該移動部に向けて送られ、
該固定部は該移動部に向けて予期される範囲の位置と時刻の情報を送り、
移動部は位置と時刻とを測定し、該測定された位置と時刻を該システムの固定部から受取った予期される範囲の位置と時刻と比較し、該測定された位置と時刻が該予期される範囲の位置と時刻の外である場合に、該測定された位置と時刻を該固定部に報告することを特徴とするナビゲーション案内データを提供する方法。
【請求項７】
前記移動部の位置が複数のオーバーレイ領域で成る地理的オーバーレイに関して判断され、前記移動部の位置を含むオーバーレイ領域と関係する情報を生成し、該移動部に対して関係するオーバーレイ領域と関係する情報を送り、それによってそのオーバーレイ領域内部にある移動部がそのオーバーレイ領域と関係する情報を受けるようにした請求項６記載のナビゲーション案内データを提供する方法。
【請求項８】
さらに該記憶されたデータを更新する段階と、該更新されたデータが適用される移動部を識別する段階と、該識別された移動部に向けて通信システム上で該データを送る段階とを含む請求項６または７記載のナビゲーション案内データを提供する方法。
【請求項９】
前記固定部が該移動部にその位置を識別するために問合せる段階を含む請求項６ないし８のいずれか１項記載のナビゲーション案内データを提供する方法。
【請求項１０】
前記固定部が該移動部のおおよその位置を判断し、該移動部が該固定部による問合せに対して一連の位置を示す位置信号を送信することによって応答し、該固定部で判断されたおおよその位置と組合せて、ユニークな位置を該一連の位置から判断する段階を含む請求項９記載のナビゲーション案内データを提供する方法。
【請求項１１】
前記移動部が位置推測によりその位置を識別する請求項６ないし１０のいずれか１項記載のナビゲーション案内データを提供する方法。
【請求項１２】
複数の移動部の場所測定と時間情報から得られた車両移動データに基づくデータ、及び／又は該移動部に前に送られた案内情報に基づく移動部の未来位置の推定を生成しかつ保持する段階を含む請求項６ないし１１のいずれか１項に記載のナビゲーション案内データを提供する方法。
【請求項１３】
該移動ユニットに向けて送られた案内データが移動ユニットの一部を形成している案内命令手段を制御するために使用され、それによって、案内命令が該移動ユニットの使用者に向けて通信できるようにする請求項６ないし１２のいずれか１項記載のナビゲーション案内データを提供する方法。
【発明の詳細な説明】
この発明はナビゲーション情報システムに関する。これは特に道路輸送手段（乗物）の使用者に行先案内を提供することに使用するのに適しているが、他の応用も可能であり、以下に記述する。
慣れない複雑な道路網の中で車両をナビゲーションすることは難しい課題である。運転手は道に迷ったり非効率なルートを使ったりして結局多くの燃料と時間とを浪費してしまう。また、運転手が地図や複雑な道路標識を見ようとしたり、目の前の道路に集中することを忘れたりして事故を起こすこともある。さらに、古い地図を使って非効率な道を選んでしまうこともある。
運転手が自分の目的地を認識している場合でも問題は生じ得る。事故や道路補修工事のために行先が混雑していたり塞がれていたりして、別の道の方が効率的な場合がある。
ナビゲーション案内システムに関しては幾つかの提案がなされている。このような提案の中に、車両積載システムがナビゲーション計算機とＣＤ−ＲＯＭに記憶されたディジタルの地図である地理的情報システムとを有しているものがある。このシステムは画面と音声表示のどちらか一方又は両方によって運転手に情報と案内とを提供する。このようなシステムは非常に高価となる。それぞれの車両にナビゲーション計算機と地理的情報システムとが必要である。複雑な車両積載システム装置の価格はおよそ1000ポンドと見積もられている。このシステムは動作が複雑で、運転手がこれを安全に動作できるのは車両が停止しているときだけである。地理的情報システムには定期的な更新が必要であり、したがって時々顧客に新しいディスクを配布しなければならない。
提案されているこの形式のシステムでは、無線網を介してリアルタイムのデータを同報通信して地理的情報システムが持っている固定情報を更新するものがある。それでも地理的情報システムの精度は最新の更新の範囲でしかない。さらに、サービスを更新するための同報通信チャンネルを設置する必要がある。
また、案内サービスの提供者が交通量の統計データを収集し、そこから交通渋滞の予測を作って、リアルタイムデータへ送り込んで同報通信することができるというものも提案されている。交通量データは、道路脇のセンサを用いて収集するか、あるいは移動使用者装置の動作を監視することによって収集することができる。後者の方法はシステムの使用者に関するデータのみを収集するに過ぎないが、資本コストは前者よりも低い。
別な方法では、狭域の道路脇ビーコンのシステムを用いて簡単なトランシーバを備えた走行中の車両へ案内情報を送信するものがある。ビーコンは適切な装置を備えた走行中の車両へ情報を送信して、それらの選択した目的地に適切な方向転換指示を与える。各ビーコンが受け持つべき領域は、そのビーコンと関係する交差点から存在する区域（ゾーン）の数と同数に分割される。使用者が選択した目的地を含む区域が判断され、その区域に適した指示が与えられる。どのビーコンでも、目的地が同じ区域内にある車両に対しては全て同じ指示が与えられる。区域の定義はビーコンの位置に依存し、各区域は、その区域と関係する方向をとることによってそのビーコンから届く範囲の目的地の群から成る。
各ビーコンは車両の目的地へのルート沿いの次のビーコンへ届くように指示を与えるに過ぎない。２つの車両が同じ地点から出発し、最初は同一のルートをとって異なる目的地へ向かう場合、ルートの同一部分に沿ったビーコンは両方の使用者に対して同じ指示を与える。これらのビーコンにとって両使用者は同じ区域へ向かっているからである。唯一、分岐点のビーコンでは２人の使用者の目的地が異なる区域にあるので、異なる指示が与えられる。
ビーコンのプログラミングは、遠隔制御で調整できる交通標識と類似の方法で中央制御局からの制御信号によって時々修正することができるが、使用者装置との対話は自立的であり、使用者の所望の目的地を含む区域がどれかを識別し、適切な“方向転換指示”情報を送信してその行程の次のビーコンへ届けるようにする。そのビーコンは残りのルートの知識は全く持たない。
各ビーコンは小さなローカル領域の詳細地図（事実上その境界は隣接するビーコンである）を有し、目的地がこの領域内にあれば、ビーコンはその目的地へのルートについての全ての情報を与える。従って、システムは定義された目的地への誘導をビーコンの間隔よりも精密に使用者に提供することができる。しかし、行程の最初は、使用者はビーコンに出会うまでシステムを使用することができない。
この提案されたシステムによって中央制御から案内指示を瞬時に更新することができ、また車両内装置の簡素化が可能となるが、道路脇ビーコンには莫大な資本支出が必要となる。
上述の提案されたシステムが両者共に遭遇する問題は、現在あるいは未来の交通渋滞に応答して代替ルートを提供し、かつその代替ルートでそれ以上の問題を招く危険がないようにするのが困難なことである。定期的に生ずる渋滞のピークの予測は比較的簡単に案内情報内にプログラムすることができ、また、少なくともビーコンシステムでは、道路渋滞のリアルタイム更新をビーコンのプログラミングに加えることもできるが、制御システムは未来の渋滞を予測できるような車両移動についての情報をもっていない。いずれにしても、相当数の車両がシステムを使用すればシステムは迂回ルート上で渋滞をつくり出してしまうことになる。
この発明の第１の側面によると、移動使用者の位置に依存して該移動使用者へ情報を提供するためのナビゲーション情報システムが提供される。このシステムは、１つの固定部と、該固定部と通信するための１又は複数の移動ユニットとを有する移動通信システムから成り、各移動ユニットは、移動ユニットの使用者によって特定された目的地に関する案内情報についての要求を固定部へ送信しかつ固定部から案内情報を受信するための手段を含み、固定部は、案内情報を要求している移動ユニットの位置を判断するための手段と、該移動ユニットの現在位置と特定の目的地とに従った案内情報を生成するための手段と、こうして生成した案内情報を該移動ユニットへ送信するための手段とを含み、それにより移動ユニットの現在位置と特定の目的地とに依存した情報が該移動ユニットへ送信することができるものである。
この発明の第２の側面によると、１又は複数の移動使用者の位置に依存して該１又は複数の移動使用者へ情報を提供するためのナビゲーション情報システムが提供される。このシステムは、特定の目的地に関する案内情報を要求している移動ユニットの位置を判断するための手段と、該移動ユニットの現在位置と特定の目的地とに従った使用者への案内情報を生成するための手段と、こうして生成した案内情報を該移動ユニットへ送信するための通信システムとを含み、それにより移動ユニットの現在位置と特定の目的地とに依存した案内情報を該移動ユニットへ送信することができるものである。
この発明の第３の側面によると、ナビゲーション情報システム用の移動ユニットが提供される。この移動ユニットは、該移動ユニットの現在地を識別するための手段と、通信リンクを介して特定の目的地への案内要求を送信するための手段と、通信リンクを介して受信した案内指示情報によって制御可能な案内指示手段とから成り、それにより該案内指示手段を通じて使用者へ現在位置と特定の目的地との間の案内指示を通信することができるものである。
この発明の第４の側面によると、移動無線システムの移動ユニットへ該移動ユニットの位置に依存したナビゲーション案内情報を提供するための方法が提供される。この方法は、特定の目的地へのナビゲーション案内要求を移動ユニットから固定部へ送信する段階と、該移動ユニットの位置を判断する段階と、位置情報、要求された目的地、及び固定部内に記憶したナビゲーションデータに基づいて案内情報を生成する段階と、該案内情報を固定部から移動ユニットへ送信する段階とから成り、それにより移動ユニットの現在位置と特定の目的地とに関連する案内情報を該移動ユニットへ送信するものである。
この発明は、前述した先行技術のシステムの両方に勝る利点を有する。システムの固定部内にインテリジェンス（頭脳）を置くことにより、従来のボード積載ナビゲーションシステム案に著しい改良を施すことができる。第１に、データを中央で保持するため顧客に地図や更新を配給する必要がない。新しい道路は開通次第システムへ追加することができる。使用者全員が同じデータベースを共有するので全体の資本支出は最小化される。さらに、車両内システムは所要時間の大部分を無駄に浪費するが、中央集中システムでは時間を共有することができるため、計算資源がより効率的に使用される。
さらに、先行技術の道路脇ビーコンシステムとは対照的に、この発明は殆ど用地に装置を配備することなく実施することができるため、資本コスト及びメンテナンス面で著しく経済的であり、また、変化する要求に合わせてシステムを迅速に設置及び修正することができる。
好ましくは、このシステムは、複数のオーバーレイ領域から成る地理的オーバーレイと関係して移動ユニットの位置を判断するための手段と、該移動部を含むオーバーレイ領域と関係する情報を送信するための手段とを含み、それによりそのオーバーレイ領域内の移動部はそのオーバーレイ領域と関係する情報を受信する。これにより、特定のオーバーレイ領域と関係する情報をそのオーバーレイ領域内のどの移動ユニットへも送信することができる。このシステムはまた、移動部が予め定められたオーバーレイ領域内に入る時を判断するための手段と、該移動部が予め定められたオーバーレイ領域内に入るのに応答して、該移動部以外の使用者へメッセージを送信するための手段とから成る。例えば、あるオーバーレイ領域がある交差点への入口部分の道路を受け持っている場合は、運転手がその交差点に近づくとどの道へ曲がればよいかについてその人に適切な指示がメッセージとなる。したがって、個々のオーバーレイ領域は各々そのオーバーレイ領域に特定のナビゲーション指示を与える。オーバーレイ領域は重複してもよく、また、位置判断処理の解答の実質的な最小限度まで縮小することができる。大きなオーバーレイ領域が一般的な情報を送信するのに適しているのに対し、小さなオーバーレイ領域を用いると、複雑な道路設計の個々の構成部分など非常に精密な位置にいる使用者へ情報を送ることができる。オーバーレイ領域は２又は３の面積でその境界を定めることができる。
この好ましい構成が固定ビーコンシステムよりも優れている点は、地理的オーバーレイを容易に変更できることである。好ましくは、このシステムは、地理的オーバーレイのディジタル表現を記憶するための手段と、要求の変化に合わせて地理的オーバーレイの構成を選択できるように該記憶した表現を修正するための手段とを含む。オーバーレイ領域は容易に結合又は分割することができ、また、ハードウェアを修正することなく、中央データベース内で定義された地理的オーバーレイを再構成するだけで、環境の変化に合わせて境界線を変えることができる。さらに、既存のセルラ移動通信システムを用いて中央データベースからの指示を送信することができるため、上述した先行技術のビーコンシステムと違って道路の備品や支持基盤に大きなコストがかかることもない。運転手がシステムによって選択されたルート上にないオーバーレイ領域に入ったときはエラーメッセージを送信することができる。このメッセージは、例えば大切な貨物や本拠地から離れて働く人材の所在を監視するためなどに、移動ユニット以外の使用者へ送信することができる。
地理的オーバーレイを用いて、例えば現場警備や料金徴集などのためのアクセス制御システムを動作することができる。この構成では、使用者が許可されていないオーバーレイ領域に進入した場合はシステム制御器もしくは現場の警備員に警告信号が送られ、侵入者を阻止することができる。（固定位置又は移動使用者のどちらにでもよいが）移動ユニットと関係する値を記憶するための手段と、例えば後の料金請求のために値を増加する、あるいは例えばプリペイド（料金前払い）記憶値装置内で値を減少するといったように、移動ユニットの位置に従って送信されるメッセージに応答して記憶した値を修正するようにするための手段とが与えられる。
固定部は、地図情報及び情報提供に使用するための他のデータ（ここでは案内データとする）を記憶するための手段と、記憶した案内データを更新するための手段と、更新したデータを適用できる移動部を識別するための手段と、通信システムを介してこのデータを識別した移動部へ送信するための手段とを含むことができる。これによって交通条件の変化に関する情報をその影響を受ける全ての使用者へ送信することができ、その際、先行技術のシステムで更新をするときに見られるように他の使用者に詳細を公表してしまうこともない。
使用者へ送信された情報はその位置に特定のものであるが、使用者に関する情報は中央で処理することができる。これによって短期間の交通予測が作られる。したがって、移動ユニットへ送信された案内データは複数の移動部の位置測定に基づいたものとなる。移動部が車両であれば、この位置測定は道路の位置、及びその交通量の状況を識別するものとなる。新しい道路が造られたりルートが分岐していたりすると、その都度トラヒックは新しいルートへ移動される。したがって、トラヒックの位置を測定するときにデータは自動的に更新されることになる。送信する情報を少なくするために、固定部は、移動情報の予想範囲を移動部へ送信し、かつ移動部から予想範囲外の移動測定を受信するための手段を含むことができる。また、移動部は、位置及び時間を測定して移動情報を得るための手段と、該移動情報とシステムの固定部から受信した予想範囲とを比較する手段と、予想範囲外の移動測定を固定システムへ報告する手段とを含む。このようにして例外的な交通条件のみが報告される。
固定部は、時間情報及び複数の移動部の位置測定から得た車両移動データに基づく案内データ、及び／又は以前に移動部へ送信された案内情報に基づく移動部の未来位置の推定を生成及び維持するための手段を含むことができる。以前に移動部へ送信された案内情報に基づく移動部の未来位置の推定を用いて未来の交通状況の推定を作ることができる。
データ記憶手段内に記憶されたデータは、例えば交通条件の変化、事故、高速道路の整備などに応答して更新することができる。システムは、更新したデータを適用できる移動ユニットを識別し、かつ通信リンクを介して修正した指示を該移動部へ送信するための手段を含むことができる。多数の使用者によって計画された行程の知識があれば、特定の道路（及びその道路の混雑）についてより正確な予測を立てることができる。ナビゲーションシステムは他の使用者用に計画した行程をも考慮することができるため、この予測は既存の自立的ルート計画システムよりも確かなものとなる。
好ましくは、この発明は個々のダイヤル呼出に基づいて公共のセルラ無線データサービスを使用して実施することができる。これにより簡素な料金請求メカニズムを提供し、また個別無線送信システムの必要性を回避することができる。
移動部の位置を判断するための手段は、慣性ナビゲーションシステム、あるいはコンパスや走行距離計（オドメータ）などの距離及び方向測定デバイスを用いて、例えば出発点からの位置推測（dead reckoning）などの手段によって動作する移動部の一部を形成する位置識別手段へ問い合わせをする手段から成る。代わって、位置を検索するための手段は通信システムの固定部の要素と関係して移動部の位置を識別するための手段を含むことができる。移動部の位置はセルラ無線システムと関係する無線位置システムによって判断することができる。別な構成では衛星ナビゲーションシステムを用いることができる。好ましい一実施例では、固定部は、移動部のおおよその位置を判断する手段を有し、移動部の位置識別手段は、問合わせ手段からの要求に対して非独自位置信号で応答するように構成される。この非独自位置信号は、固定部が判断したおおよその位置との組み合わせで独自の位置を判断する。
好ましい構成では、固定部と移動部とがそれぞれ衛星ナビゲーションシステムの受信機を有し、衛星ナビゲーションシステムで測定した移動部の位置と衛星ナビゲーションシステムで測定した固定部の位置とが比較される。固定部の位置を極めて正確に知ることができるので、これを基準尺度として移動部の位置も衛星システムを単独で用いて直接測定するより遙かに正確に判断することができる。
好ましくは、固定部は１又は複数のサーバと、移動部がサービスを要求したときだけ移動部にサーバを割り当てるための手段とを有する。実際にはサービスを要求する移動部の数が極めて少ない時間もあるから、これにより固定部の計算資源を極めて効率的に使用することができ、システムは全体としてそのサ−バ容量よりも遙かに多くの移動ユニットを支持することができる。僅かな時間使用するだけの専用の計算機を各移動ユニットのボード上に取り付けなければならない前述の先行技術システムと比べてこれは対照的である。さらに、全てのサーバが同じ道路使用データベースを共用することができる。このデータベースは、移動使用者のために計画したルートに関する情報を用いて、例えば渋滞しそうなポイントなど未来の道路使用状況の予測を立てることができ、また、これを案内指示処理に組み込むことができる。例えばこのシステムは、ある特定の時間に道路のある特定部分へ所定数以上の使用者を誘導しないようにし、またその時間にその道路へ誘導されなかった使用者全員に対し代替ルートを見つけるように構成することができる。このようにしてシステムは渋滞しそうなポイントを予測して先制行動をとることができる。移動部は、通信リンクを介して固定部から送信された案内情報を含む指示によって制御可能な案内指示手段を含むことができ、それにより案内指示手段を通して使用者へ案内指示を通信することができる。
ある種の応用では、通信リンクを介して受信した案内情報に応答して車両を直接制御することができる。しかし、一般の高速道路で使用するためには、案内情報がディスプレイ手段を制御することが好ましい。ディスプレイ手段は視覚的に又は聴覚的にあるいはその両方で運転手がとるべき方向を表示することができる。
案内指示手段は、通信リンクを介して固定部から自動的に、又は人間のオペレータによってプログラムすることができる。案内情報手段は音声変換器を含むことができる。この音声変換器は、固定部に配置して通信システムを介して使用者へ音声メッセージを送信してもよいし、あるいは移動部に配置して固定部からのデータメッセージによって制御してもよい。前者の構成では移動ユニットを簡素化することができ、後者の構成では必要なシグナリングロードをより小さくすることができる。
記述した実施例では移動部が車両内にあるが、歩行者を案内するための手持ちデバイスとすることもできる。一形態として、移動部を従来の移動セルラ無線ユニットとすることができる。これにより専用装置を必要とせずに使用者へ基本サービスを提供することができる。
次に、図面を参照してこの発明の実施例を例として記述してゆく。
図１はこの発明の実施例に従ったナビゲーション情報システムの移動部及び固定部を示す。
図２はこの発明を単純な道路設計にどのように適用できるかを例示する。
図３はシステムによって生成された指示に従ってある領域を複数の区域に分割したものを例示する。
図４はこの発明をもっと複雑な道路設計に適用したものを例示する。
図５ａ及び５ｂはトラヒック環境の変化に応答したオーバーレイ領域の修正を例示する。
図６は道路網で、セルラ無線網と関係してこの発明の方法によって定義されたオーバーレイ領域を示す。
図１の実施例によると、ナビゲーションシステムは、固定部（12から19）と多数の移動部（１から10）（そのうちの１つだけを示す）とを有し、セルラ電話網11によって相互接続されている。
移動部は、音響出力２，音響入力３，及び無線アンテナ（送信／受信）４を有する移動電話機１で成る。出力２はデコーダ５に接続され、電話機１で受信したＤＴＭＦ（Dual-Tone Multi−Frequency）信号をインターフェース制御器６へ供給するデータに変換する。インターフェース制御器６はまたＧＰＳ（Global Positioning System）衛星受信機７からの入力を受信する。インターフェース制御器はＤＴＭＦエンコーダ８へデータを送信し、ＤＴＭＦエンコーダ８は移動電話機の音響入力へ供給するためのトーンを生成する。音響出力２及び入力３はまたラウドスピーカ９及びマイクロフォン10をそれぞれ含み、電話機を音声で使用できるようにしている。
固定部は、セルラ無線電話網11のインターフェースがＤＴＭＦデコーダ12及びエンコーダ13と制御器インターフェース14とを経由して計算機15に接続されて成る。計算機15は多数のサーバ16から成り、その１つは活動中の各移動ユニットに割り当てられる。サーバ16は地理的データベース17及び標準メッセージのデータベース18へのアクセスを有する。地理的データベース17は交信用入力19を通じて更新可能である。データベース17は、受け持つべき領域に対する地理的オーバーレイを形成する多数のオーバーレイ領域の定義を記憶している。図２，３，４，５ａ，５ｂ，６はオーバーレイ領域の例を示し、これについては後に詳述する。
移動部はＧＰＳ受信機７を用いて位置情報を得て、この情報を特定の目的地への誘導要求と一緒にして固定部へ送信する。固定部では、サーバ16がこの位置情報を地理的データベース17と関係付けてデータベース18からその位置と関係するメッセージを得て、この情報を移動部へ送り戻す。
計算機15はエンコーダ12を用いてＤＴＭＦコードでメッセージを送信することができ、また、音声出力20を介してセルラ網11へ送信する音声メッセージを生成することもできる。
ＤＴＭＦ信号を用いて車両の位置を計算機15へ送信すると、計算機15は車両又は必要とする第３者へ情報及び案内を提供することができる。
以下の議論では、図１に示した基本装置の変更についても記述する。ここでは所定の要素が修正又は置換される。
システムは以下の通り動作する。
行程の始めに、運転手は予めダイヤル設定された制御を駆動して電話機１でサービスを要求する。このサービス要求は電話網11を介して制御インターフェース14へ送信される。次に制御インターフェース14は自由なサーバ16を割り当ててこの呼に応答し、かつその地理的位置を判断するためにＧＰＳ受信機７へ問い合わせをする。エンコーダ８は経度及び緯度のデータを取ってその数値をＤＴＭＦトーンの組に変換する。この方法については以下により詳細に記述する。
セルラ電話機はこの音響信号をその音声入力経路内へ接続する。車両に搭載したハンドフリーセルラ電話機では、マイクロフォンリードがアクセス可能であるか、もしくはマイクロフォン10の隣に小さい変換器を取り付けることができるので、これを容易に行うことができる。ラウドスピーカ９に（音響的又は電気的に）接続されたＤＴＭＦ受信機５はサーバ16から戻って来る管理データ（ＤＴＭＦ形式）をデコードし、位置メッセージの受信を認知する。この認知がＤＴＭＦユニットによって受信されなければデータメッセージが繰り返される。
システムの固定端は、ＤＴＭＦデコーダ12及びエンコーダ13がサーバ計算機15の逐次データインターフェース14に接続されて成る。この計算機は、一方では移動部を呼び出すことができ、この移動部が自動的に応答してＤＴＭＦシグナリングシステムを用いてその位置を提供する。また他方では、計算機は求められていない呼を受信することができ、この呼が移動部のＤＴＭＦ符号化アイデンティティを含んでいて車両内インターフェース６を用いて車両位置を提供する。
サーバ16は次に使用者の現在位置を検索し、その位置を含むオーバーレイ領域を識別する。サーバはまた、車両の種類など使用者に特定の恒久的な情報を検索してこれをルートと関連づけ、例えば高さや重量制限によってルートを選択されるようにすることができる。使用者は、恒久的ではないが現在の情報要求（特にその人の目的地）に特定であるそれらの要求を、音声プロンプトに応答して電話機のキーパッドを用いて符号化することができる。しかし、好ましい実施例では、このデータを検索するために呼が人間のオペレータへ送られる。これによって、使用者は自分の所望の目的地を識別するときにシステムへの補佐を得ることができ、また運転手も手と目を運転に集中したまま要求を話すことができる。
オペレータは次に、後の更新処理で使用するために車両の目的地を識別するシステムデータを持つ車両内インターフェース６を遠隔操作でプログラムし、計算機サーバ16の音声生成サブシステムによって運転手への音声付きの誘導及び指示の生成を促進する。
位置固定は、例えば２分毎あるいは１km毎など定期的な間隔で行うことができる。代わって、固定部は特定の時間間隔又は距離後の次の位置を送るよう移動部に要求することができる。
運転手がルートに従っているときは、運転手が新しいオーバーレイ領域に入る度毎に別の指示を自動的に送ることができ、また、ルートを通り過ぎてしまったり個々の運転手に影響するような新しい交通問題が検出された場合はそれを運転手に警告することができる。このシステムは、例えば次の方向転換指示（あるいは移動ユニットが選択されたルートを通過してしまったときはエラーメッセージ）などそこに定義されたメッセージを有するオーバーレイ領域内へ移動ユニットが入るのをシステムが確認するとそのメッセージが送信されるように構成されている。システムはまた、例えば大切な貨物の進路を監視するなどのために、当の移動ユニット以外の使用者へメッセージを送信するように構成することができる。
サービス要求を変更するときや追加の援助が必要なときは、運転手はいつでも人間のオペレータを呼び出すことができる。
中央データベースを使用することによって全ての車両移動が監視できる。トラヒックモデルを用いて交通量を最適化したり行程時間を縮小することができる。システムはまた、同じ時間に同じ道路を使うように誘導することができる車両の数を制限することによって、システム自体が渋滞を引き起こすことが決してないようにすることができる。制御システムは位置データを用いてこれらの車両からの移動ベクトルを計算し、かつ記録することができる。
この方法で収集されるデータを用いることによって、中央システムは有効なルートのディジタル地図を得ることができる。次のデータは自動的に得られる。すなわち、有効な道筋、許容の通行方向、妥当な方向転換、平均行程時間、日時や他の要因による行程時間の傾向、である。
システムは地図を自動的に更新して恒久的な変化（新しい連絡道路、一方通行制への変更など）を表示する。道路工事による一時的な道路封鎖なども記録される。システムが車両通行データからの情報を獲得するまでは、車両が最初から確実に新しい道路を通るルートをとるようにするためにデータを手動更新する必要がある。以前に登録したデータ内の概算は、ここで記述したシステムによって修正される。
手動及び自動のデータ項目（例えばバス停、電話ボックスその他の道路備品の位置や商店、銀行、事務所などの事業体までの近さ）を組み合わせて旅行者に関係しそうな他の情報を含めてシステムをさらに強化することができる。
ルート案内のための基盤として、日時による走行時間の傾向の変動を用いて各連絡道路の渋滞予測モデルを得ることができる。システムは、選択されたルート上での移動ユニットの進行を監視して、所定の位置間の実際の走行時間を比較することによって交通渋滞などの領域を識別することができる。これは、固定システムが個々のユニットの位置更新を監視することによって行われるか、もしくは移動ユニットを固定部と共働させることによって行われる。この後者の場合、固定部は移動ユニットが所定位置へ到着するまでにかかると思われる走行時間の予想範囲を送信する。その位置への到着がこの範囲外であれば、移動ユニットはこの事実を固定部へ報告する。“例外だけを報告”することによってデータ処理のオーバーヘッドを著しく低減することができる。
しかし、現在及び予測の渋滞に関する情報に基づくルート案内にアクセスする運転手が多すぎると、このシステムは不安定なものとなり得る。この不安定を回避するために、ルート計画は中央で作成及び更新されて個々の車両へ送られる。次に、指示されたルートを使用する車両の密度が予測に追加される。システムを使用する車両が多いほど正確な予測を作ることができる。
得られたルートは（移動データリンク又は近距離通信リンクその他の固定電気通信網への一時的アクセスを介して、出発前に）車両へ送られる。道路条件が予測のものと著しく変わらなければ車両は自律的に動作することになる。
中央システムが（車両データその他のソースから）問題を検出し、それが予測に深刻な影響をもつものであり、既に与えたアドバイスに変更を生ずるほどであれば、中央システムはこの問題のニュースを同報通信し、影響を受ける車両が移動データ通信リンクを介して自動的に呼出をして現在位置からその目的地への新しいルートを受信することができるようにする。
車両システムがプログラムされたルート上で予想外の走行時間に遭遇した場合、車両システムは中央システムへ報告を送る。
こうしてシステム中を流れるデータが、例えばニューラルネット技術の使用によってより多くの道路網の特徴的な渋滞性質を“学習”して、渋滞しそうなときはそのルートの使用を避けるトラヒックのためのルートを選択することができるようにする。
このシステムの特別な利点は、使用者が要求したルート案内情報から非日常的な渋滞のパターンを予測する能力である。ルート案内は中央で生成されるため、システムはある所定位置への目的地情報に対する要求の数を監視することができる。各使用者の予測到着時間（出発点及び出発した時間に依存する）を判断することによって、（例えば大きなスポーツイベントのために）未来のある特定の時間にある特定の位置でトラヒック集中が重なることが検出される。そうすると、他の目的地へのトラヒックでこの道を経由したルートをとっているものがあれば他のルートへ迂回させることができる。
上述のシステムはＤＴＭＦコードが使われるアナログ電気通信リンクを使用する。アナログセルラ無線網では、短い状態メッセージの送信を要求されたときに限りＤＴＭＦが理想的なシグナリング媒体となる。これは、激しい信号フェージングとか、高速フェーズや周波数偏移データ変調の使用を妨げる周波数を持つような移動環境の雑音にも耐えることができる。別の利点は音声と共存する能力である。例えば、車両位置データを含んだＤＴＭＦデータバーストを呼の始め及び呼間に送ることができる。緊急事態を示すために他の簡単な符号化ＤＴＭＦメッセージを搬送して簡単な運転手表示を提供する（左折又は右折の矢印を点灯するなど）か、あるいは車両内の別のサブシステムによって生成された合成音声をトリガすることもできる。
上述のＤＴＭＦ符号化はアナログシステムに適している。ディジタルセルラ網では、ＧＳＭ（Global System for Mobile Communications）のＳＭＳ（Short Message Service）、あるいはＧＳＭ用に提案されているＧＰＲＳ（General Packet Radio Service）といった関連のパケットデータシステムを介してディジタル化したデータを送信することができる。
上述の実施例では、音声生成サブシステムはサーバ16の一部で形成される。代わって車両のボード上に備え付けることもできる。この構成では、サブシステムは各種の記憶した音声コマンドを有し、この音声コマンドは固定部から送信されたコマンドに応答して車両内インターフェース６から制御される。この構成は無線リンク11を介して要求されるシグナリングトラヒックを低減するが、車両内装置は一層複雑なものとなる。
次に位置判断システムをさらに詳細に記述する。ＧＰＳ（Global Positioning System）衛星ナビゲーション受信機は現在非常に安価となりつつあり、また逐次データ出力で利用可能である。これは円周弧の１秒の1/10までの緯度及び経度データを提供することができる。（すなわち、３メートル以内の位置を定義するもので、使用者が２車線道路のどちら側にいるかを識別するのに十分である）。
ＧＰＳ（Global Positioning System）などの衛星位置決めシステムは、例えば衛星の軌道の不安定などの結果として小さな系統的エラーを生ずる傾向がある。位置測定の精度は“差動ＧＰＳ（Differential GPS）”として知られる処理によって高めることができる。ここでは、例えば測量技術などを用いて位置を判断した多数の固定基準値点を使用する。この測定を既知の真の位置と比較して訂正値を生成し、これを用いてＧＰＳで測定した移動ユニットの位置を訂正することができる。
衛星位置決めシステムから受信した位置データはある種の冗長データを含むことができる。システムが地球の限られた領域内でしか動作しないのであれば、位置データの最上位桁（ディジット）は冗長であり、固定部の移動ユニットから送信される必要はない。例えば、ドイツのどの地点もこの国が北緯45度と55度との間で東経５度と15度との間に完全に横たわっているから、その緯度と経度との単位桁で個々に定義できる。連合王国についても同じように定義できるが、この場合は経度のずれの10度が零子午線の東と西の経度で重複しないようにしなければならない。
全ヨーロッパ系あるいはアメリカ合衆国全体をカバーするようなもっと大きな領域に対しては、このような単純なデータ低減は実用的ではない。しかし、それにも拘らず、領域を動的に定義することによってデータ要求を低減することは可能である。全位置を用いる初期化段階の後に、システムは前の位置と一番近い候補を各新しい位置として選ぶ。例えば、もし移動ユニットが西経99度と最後に報告されていたときは、経度の単位桁は０となり、使用者は例えば90度とか110度ではなく西経100度にいるとされる。
もし場所の更新が頻繁に行なわれ、使用者の位置を1/2度よりも余計に変えられないときは、度合の単位桁も省略することができ、角度の分とか秒だけで場合が与えられるようにする。更新の頻度が高いほどもっと多くの桁を省略できる。
粗な場所位置を得る別な方法は、セルラ無線システムの動作システムに照合をして使用者が現在居る位置のセルを識別することである。セルの大きさは約40kmにわたることができる（しばしばこれよりも小さいことがあるけれども、セルを識別することは使用者の位置を40km範囲内で特定できることになり、これは緯度（１度＝111km）を1/2度よりも正確な値で識別する）。経度線の離れ方は緯度の余弦として変化し、北極圏（北緯66度）でさえも40kmの分解能でほぼ全度数に対して経度を識別する（経度１度＝111km（コサイン緯度）＝北緯66度で約45km）。
度の桁を省略することにより位置データを左先端切りすることにより、基本的な位置メッセージは10進桁（分，秒，10分の１秒）で構成される。高度をメートル表示した高度データは別の４桁を必要とし、それは地表の全位置が10,000ｍの範囲内に置かれていることによるが、このデータもまた左先端切りができる。何故なら、多レベルの道路システムでも高さが100ｍの違いとなることはありそうもない（もしそうであったとしても、ＧＰＳシステムはＦ側のレベルにある受信機に対しては効果的に作用する）からである。これによって全部で12桁となり２秒とかからずにＤＴＭＦによって送ることができるものとなる。
上述のようにデータが左先端切りされたときは、“粗”のデータがインターフェース制御器によって先のデータを参照するか、セルラ無線動作システムを参照して付加される。
計算機15が位置メッセージを受領すると、その位置を記憶し、次にその位置を含むオーバーレイ領域についてそのデータベースを検索する。オーバーレイ領域は緯度と経度の座標によってそのデータベース内で定義されており、定義されたオーバーレイ領域内部の移動加入者に送ることができるメッセージを定義している関連をもつ特徴を有している。ある場合には高さ（高度）情報で衛星位置決めシステムを用いてこれも入手できるものを使って、例えば多レベル高速道路立体交差点（立体交差）でのレベル間の差を区別する。ＤＴＭＦ位置メッセージが関連するメッセージを有するオーバーレイ領域内部に座標を有するときは、メッセージは次に移動部分に計算機合成の言語メッセージとして、ＤＴＭＦ符号化メッセージとして（他のサブシステムを発動させるために）、あるいは高速通常データメッセージとして送信する。
もし移動ユニットが前の位置更新で同じオーバーレイ領域内に来るときは、そのオーバーレイ領域と関係するメッセージは不変であり、メッセージの送信は保留される。
システムが必要とする位置更新の頻度は現在のオーバーレイ領域の大きさと本質とに従って特注することができる。例えば、入り組んだ道路配置は非常に数多くの小さなオーバーレイ領域で構成され、頻繁な位置更新を必要とし、それによって使用者が２回の更新の間に関係する領域を通り過ぎてしまい指示を見失わないようにする。しかし、交差点なしに道路が長く延びていると単一のオーバーレイ領域でカバーすることができ、更新の頻度が少いことが適している。車両が動いていそうな速度は街中，田舎，自動車専用道路といった環境界で異なり、次の場所更新を必要とする場合を判断する要因としても使われる。
上に述べたように、衛星位置決めシステムが使用できない場合、例えばトンネルの中とか建て込んだ領域で衛星の視界が作れないという環境がある。移動部の位置を識別し更新するための配置で衛星受信機に依らない代りのものを用いることができ、単独で、もしくは衛星システムを使用できる点間に補間して使用することができるものがある。一つの変形として推定（dead-reckoning：天体観測による位置決めをしないもの）に基づいたナビゲーションシステムがある。この種のシステムでは、使用者が自分の初期位置を識別し、搭載したシステムが例えばジャイロコンパスや加速度計といった磁気的ベアリング測定、距離カウンタ及び慣性ナビゲーション手段によってシステムの動きを測定するものがある。この種のシステムは自立形であるが、始点の知識を必要とする。始点は例えば衛星位置決めシステムから得られる。
別な変形では、位置決め方法として中央制御局と通信するために使われるセルラ無線システムの伝搬特性に依存するものを使用することができる。この種のシステムの例はドイツ特許明細書ＤＥ3825661（Licentia Patent Verwaltungs）及びＤＥ3516357（Bosch）、合衆国特許4210913（Newhouse）、欧州特許明細書ＥＰ0320913（Nokia）、及び国際特許出願ＷＯ92/13284（Song）とＷＯ88/01061（Ventana）に開示されている。信号強度又は他の特性をいくつかのセルラ基地局について比較することによって、位置定点が判断できる。このやり方では位置測定が固定のシステムによって直接行われる。これによりシステムの移動部を従来のセルラ電話で実施でき、ここでは入力は音声もしくはキーパッドで生成されるＤＴＭＦトーンによって作られ、使用者への指示は音声指令によって伝送される。
データベース17内に記憶できるナビゲーション情報の種類の例を図２ないし６を参照して述べて行く。簡単に言えば、図２は４つ道路21，22，23，24が進入している交差点Ｊを示し、道路の各々にはそれぞれ関係するオーバーレイ領域21ａ，22ａ，23ａ，24ａがある。この図と他のすべての道路配置を示すものとにあっては道路は左側通行としてあり、例えば連合王国、日本、オーストラリアなどに例がある。図３は交差点Ｊを取り囲む道路網の一部を示し、市街地Ａ，Ｂ，Ｃ及び自動車専用道路Ｍを含んでいる。各道路21，22，23，24には関係する目的地ゾーン21zなどがある。図４は４つの道路Ｎ，Ｓ，Ｅ，Ｗを相互接続する複雑な立体交差が示されている。この立体交差は12のオーバーレイ領域Ｎａ，Ｎｉ，Ｎｄ，Ｓａ，Ｓｉ，Ｓｄ，Ｅａ，Ｅｉ，Ｅｄ，Ｗａ，Ｗｉ，Ｗｄをもつ１つのオーバーレイ上に重畳されている。図５ａは主道路33と側道30とをもつ小さな領域を示す。主道路33には２つの関係するオーバーレイ領域31，32がある。図５ｂは図５ａと似ているが、妨害個所Ｘが主道路33上にあり、オーバーレイ領域32が妨害個所によって分離された２つのオーバーレイ領域32ａ，32ｂに分けられている。図６は５つのセル50−５４で成るセルラ無線受持ち領域上に重畳された10のオーバーレイ領域40−49で成るオーバーレイを示す。
もっと詳細には、道路交差点Ｊ（図２）には４つのそこへ入る道路21，22，23，24があり、各道路上には交差点へ接近するところにオーバーレイ領域（21ａ，22ａ，23ａ，24ａ）が定義されている。これらのオーバーレイ領域はそれが関係する方向情報を有し、曲がれの指示や他のナビゲーション情報を与えている。図３に示すように、ナビゲーションシステムによって受持ち対象となる全領域は４つのゾーン21z，22z，23z，24zに分けることができ、それぞれのゾーンは対応する道路21，22，23，24が交差点Ｊから向うことになるすべての位置の組を構成している。この特別な例についてみれば、道路24は直接に市街地Ａに向い、かつローカルな目的地（ゾーン24z）用にだけ使用されるものであり、道路23は市街地Ｂ（ゾーン23z）に通じ、道路22は市街地Ｄ（ゾーン22z）に通じ、道路21は自動車専用道路Ｍに通じて市街地Ｃと市街地Ａの一部とを含む他のすべての目的地に向っている。これらのゾーンは各交差点に対して違って定義されている：例えば交差点Ｊ′では市街地ＡとＣに対しては異なる方向が適しており、これらの市街地はその交差点でのオーバーレイ領域に関しては異なるゾーンに入っている。ゾーンは同じ交差点で異なるオーバーレイ領域として異なる定義をされてもよい。例えば、もし交差点ＪでＵターンが出来ないときは、道路22から交差点Ｊに入り、市街地Ｄに進む必要がある車両（トラヒック）（前に間違いをしたか計画を変更したような場合）が道路21，Ｍ，及び25をとる経路をとらねばならない。そこで、オーバーレイ領域22ａに対しては３つのゾーンだけがあることになり、24z，23z及び21z／22zの組合せであり、３つの許容出口21，23，24に対応している。
ゾーンは環境に従って再定義することができる。例えば、自動車専用道路Ｍが渋滞しているときは、交差点Ｊから市街地Ｃへ向う最善のルートは市街地Ｂを経由することになる。このような場合には、ゾーン21zと23zとは再定義されて、市街地Ｃがゾーン23z内に入るようにする。しかしここで注意したいのはゾーンの全体数は関係するオーバーレイ領域からの出口ルートの数に留まるということである。
オーバーレイ領域21ａ，22ａ，23ａ，及び24ａは、交差点に進入する全ての車両が関係するオーバーレイ領域内にいる間に少なくとも１回の位置更新を得て関係する曲がれ指示を送られるようするために、十分に大きいものでなければならない。図２に示すように、オーバーレイ領域は離散的なものであり、上述の先行技術システムであるビーコンの受持ち領域と同等なものと考えられる。しかし、図４，５ａ，５ｂ及び６に示すように連続して作ることもできる。
図４にはもっと複雑な立体交差を示し、ここでは12のオーバーレイ領域がある。各道路Ｎ，Ｅ，Ｓ，Ｗは交差点で交差しており、対応する入口（アプローチ：交差点に入る）オーバーレイ領域Ｎａ，Ｅａ，Ｓａ，Ｗａ（Ｗａは斜線付き）と分離オーバーレイ領域Ｎｄ，Ｅｄ，Ｓｄ，Ｗｄ（Ｅｄは斜線付き）とを有している。
また４つの中間オーバーレイ領域Ｎｉ，Ｅｉ，Ｓｉ，Ｗｉ（Ｓｉは斜線付き）がある。フライオーバ（立体交差）Ｆの高さ（高度）情報はＧＰＳシステムから得ることができ、どちらのレベル、したがってどちらのオーバーレイ領域に使用者が現在いるかを判断するのに使用できる。
入口及び中間オーバーレイ領域の各々は判断点Ｐ１ないしＰ８で終っている。データベース17内では各オーバーレイはそれと関係している方向情報を有し、関係している判断地点でどの分岐をとるべきかの指示を与える。例えば、ゾーンＳｉと関係した方向情報は使用者に対して指示を与え、道路Ｎにより導かれる目的地に対しては地点Ｐ１で直進を、道路Ｅ，Ｓ，Ｗによって導かれる目的地に対しては左折を指示する。交差点を利用する交通（トラヒック）は１つの入口オーバーレイ領域と１つの分離オーバーレイ領域とを通り、また１又は複数の中間オーバーレイ領域を通ることもできることが理解されよう。例えば前方危険の警告のように、分離オーバーレイ領域Ｎｄ，Ｓｄ，Ｅｄ，Ｗｄと関係している情報もまたあり得る。分離オーバーレイ領域は各方向で次の交差点への入口オーバーレイ領域とつながっていてもよい。
使用者が道路Ｓ上で交差点に近づくと、位置更新は使用者装置がオーバーレイ領域Ｓａ内にあることを識別する。使用者の目的地の座標が道路Ｗによって導かれるゾーン内にあれば、使用者に地点Ｐ２で左折せよとの指示が送られる。使用者が指示に従えば使用者はオーバーレイ領域Ｗａに入り、そのオーバーレイ領域と関連する情報があれば次の位置更新で使用者に送られる。
使用者の目的地の座標が道路Ｎによって導かれるゾーン内にあれば、オーバーレイ領域Ｓａ内の使用者には代って地点Ｐ２で直進を続けるようにとの指示が送られる。使用者がこの指示に従えばオーバーレイ領域Ｓｉに入ることになる。
オーバーレイ領域Ｓｉにいる使用者にとっては、使用者の目的地の座標が道路Ｎによって導かれるゾーン内部にあれば、使用者には地点Ｐ１で直進せよとの指示が送られる。この指示に従うと使用者はオーバーレイ領域Ｎｄに入り、そのオーバーレイ領域と関連する情報があれば次の位置更新で送られる。
オーバーレイ領域Ｓｉにいる使用者の目的地の座標が道路Ｅ，Ｓ，又はＷによって導かれるゾーン内にあれば、使用者は地点Ｐ１で左折せよとの指示を送られることになる。この指示に従うと、使用者はオーバーレイ領域Ｗｉに入ることになる。
同様の情報が他のオーバーレイ領域と関連している。使用者が一連の交差点（判断地点）を通り抜けてゆく際に適切な指示を与えることによって、使用者はどんな目的地にも向うことができる。使用者の最終目的地がどこであろうとも、その交差点から同じ出口へ進むことになるすべての使用者に対して同一の指示が与えられることに留意されたい。
図５ａと５ｂとは環境変化に合致するためのオーバーレイ領域の再構成を示す。最初（図５ａ）は、主要道路33と側道30との間の交差点への入口に対してオーバーレイ領域31が定義され、また第２のオーバーレイ領域32が交差点を越えた向うの主要道路33の一部に対して定義される。オーバーレイ領域31と関係する情報は側道30によって導かれるゾーンへの交通に対して曲がることを指示する曲がれ情報を含んでいる。情報はオーバーレイ領域32と関係をもつこともできる。
図５ｂでは、主要道路33は地点Ｘで阻止されている。このことに対処するために、オーバーレイ領域32は２つのオーバーレイ領域に副分割されている。情報でオーバーレイ領域32ｂと関係するものがもしあれば、それはオーバーレイ領域32と前に関係していたのと同じである。オーバーレイ領域32ａ内のトラヒックは危険がこの先にあるという警告の新情報が与えられる。オーバーレイ領域31と関係する情報は修正されて、すべてのトラヒックは今度は側道30へ曲がるように指示を受ける。（効率的なことは、オーバーレイ領域31と関係する目的地ゾーンが１つに合体することをこれが意味していることである。）
図６は道路網に対してオーバーレイ領域がどのように定義できるかを示す。この例ではオーバーレイ領域40，41，42，43，44，45，46，47，48，49があり、道路の各区分の各側に対応している。したがって、使用者は各区分上での各方向の旅程に適した情報を関係する区分全体を通して得ることができる。このオーバーレイに重畳されてセルラ無線網があり、そのうちの５つのセル（50，51，52，53，54）が示されている。使用者の位置は例えば衛星位置決めシステムにより判断され、使用者に適したオーバーレイ領域が判断される。この情報がセルラ無線網手段によってサービス制御センターに送信される。セルラ基地局間のハンドオーバがセル境界で通常の仕方で発生する。これらのハンドオーバは、しかし、オーバーレイ領域40−49間の境界とは無関係である。
経路案内情報を提供することと関連づけて実施例を記述したが、他の地域性に依存した情報も同様に提供できるし、代って、地方施設についての情報，旅行者に魅力のあるもの，天気予報，公衆輸送情報のような情報も同様に提供できる。ここで“案内情報（ガイダンス  インフォーメーション）”という用語を用いたものにはこの種の情報を含むものとする。
【図１】
0003670286.tif 000002
【図２】
0003670286.tif 000003
【図３】
0003670286.tif 000004
【図４】
0003670286.tif 000005
【図５ａ】
0003670286.tif 000006
【図５ｂ】
0003670286.tif 000007
【図６】
0003670286.tif 000008